(57)【要約】【課題】各工事箇所における工事の進捗状況を容易に把握することができると共に、工事の報告書を簡単に作成することができる工程管理システム等を提供する。【解決手段】工程管理システムは、撮影ユニットと、記憶部と、所定の被写体が写った画像の画像データを記憶部に記憶させる画像登録部とを備え、撮影ユニットは、工事箇所に配置された識別コードを撮影することにより、識別コードが写った画像の画像データを生成すると共に、工事箇所を撮影することにより、当該工事箇所が写った画像の画像データを生成し、画像登録部は、識別コードが写った画像に基づいて取得される位置に関する情報及び工事に関する情報に基づき、工事箇所が写った画像の画像データを、工事箇所ごとに分類可能な状態、且つ、工事箇所に適用される工事における複数の工程のうちの特定の工程を表す情報と関連付けられた状態で記憶部に記憶させる。【選択図】図１
2020030519.tif 000002
【特許請求の範囲】
【請求項１】
建物の各工事箇所における工程を管理する工程管理システムであって、
被写体を撮影し、該被写体が写った画像の画像データを生成する撮影ユニットと、
画像データを記憶可能な記憶部と、
前記撮影ユニットにより生成された画像データに基づき、所定の被写体が写った画像の画像データを前記記憶部に記憶させる画像登録部と、
を備え、
前記撮影ユニットは、前記工事箇所に配置された識別コードであって、少なくとも、前記建物における工事箇所の位置に関する情報と、当該工事箇所に適用される工事に関する情報とを表す識別コードを撮影することにより、前記識別コードが写った画像の画像データを生成すると共に、前記工事箇所を撮影することにより、当該工事箇所が写った画像の画像データを生成し、
前記画像登録部は、前記識別コードが写った画像に基づいて取得される前記位置に関する情報及び前記工事に関する情報に基づき、前記工事箇所が写った画像の画像データを、工事箇所ごとに分類可能な状態、且つ、前記工事箇所に適用される工事における複数の工程のうちの特定の工程を表す情報と関連付けられた状態で前記記憶部に記憶させる、工程管理システム。
【請求項２】
前記撮影ユニット及び前記記憶部は、携帯可能な端末装置に設けられ、
前記端末装置はさらに、
前記撮影ユニットにより生成された画像データに基づき前記識別コードが写った画像から前記識別コードを読み取ることにより、前記位置に関する情報及び前記工事に関する情報を取得する読取部を有し、
前記画像登録部は、前記読取部により取得された前記位置に関する情報及び前記工事関する情報に基づいて、前記工事箇所が写った画像の画像データを前記記憶部に記憶させる、請求項１に記載の工程管理システム。
【請求項３】
前記端末装置は、前記複数の工程をそれぞれ表す複数の項目を表示させる表示部と、
外部からなされる操作を受け付ける操作入力部と、
をさらに有し、
前記画像登録部は、前記操作入力部により、前記表示部に表示された前記複数の項目のうちのいずれかを選択する操作がなされた場合に、前記工事箇所が写った画像の画像データを、選択された項目に対応する工程を表す情報に関連付ける、
請求項２に記載の工程管理システム。
【請求項４】
前記携帯可能な端末装置とは異なる第２の端末装置であって、
前記記憶部に記憶された前記工事箇所が写った画像の画像データを前記携帯可能な端末装置から受信する通信インタフェースと、
前記携帯可能な端末装置から受信した前記工事箇所が写った画像の画像データを、工事箇所ごとに分類可能な状態、且つ、前記工事箇所に適用される工事における複数の工程のうちの特定の工程を表す情報と関連付けられた状態で記憶する第２の記憶部と、
前記第２の記憶部に記憶された前記工事箇所が写った画像の画像データに基づいて、同一の工事箇所に関する複数の画像が工程順に配置された報告書を作成する報告書作成部と、
を有する第２の端末装置をさらに備える、
請求項２又は３に記載の工程管理システム。
【請求項５】
前記撮影ユニットは、データ送信機能を有する携帯可能な第１の端末装置に設けられ、
前記記憶部及び前記画像登録部は、前記第１の端末装置とは異なる第２の端末装置に設けられ、
前記第２の端末装置は、さらに、
前記第１の端末装置から送信された画像データを受信する通信インタフェースと、
前記第１の端末装置から前記識別コードが写った画像の画像データを受信した場合に、該受信した画像データに基づき前記識別コードが写った画像から前記識別コードを読み取ることにより、前記位置に関する情報及び前記工事に関する情報を取得する読取部と、
を有し、
前記画像登録部は、前記第１の端末装置から、前記識別コードが写った画像の画像データに続いて、前記工事箇所が写った画像の画像データを受信した場合に、前記読取部により取得された前記位置に関する情報及び前記工事関する情報に基づいて、前記工事箇所が写った画像の画像データを前記記憶部に記憶させる、
を有する、請求項１に記載の工程管理システム。
【請求項６】
前記画像登録部は、同一の工事箇所が写った複数の画像の画像データに対し、当該工事箇所に適用される工事における複数の工程を、前記複数の画像の画像データが生成された順に従って、工程順にそれぞれ関連付ける、請求項５に記載の工程管理システム。
【請求項７】
前記第２の端末装置は、前記記憶部に記憶された前記工事箇所が写った画像の画像データに基づいて、同一の工事箇所に関する複数の画像が工程順に配置された報告書を作成する報告書作成部をさらに備える、請求項５又は６に記載の工程管理システム。
【請求項８】
前記画像登録部は、前記記憶部において、同一の工事箇所に関する画像データを１つのフォルダに格納させる、請求項１〜７のいずれか１項に記載の工程管理システム。
【請求項９】
前記画像登録部は、前記工事箇所が写った画像の画像データに、前記位置に関する情報をさらに関連付ける、請求項１〜７のいずれか１項に記載の工程管理システム。
【請求項１０】
工事の種類を表す情報と、各種類の工事において採用され得る工事の方法を表す情報と、工事の各方法における複数の工程をそれぞれ表す複数の情報とを階層的に格納するマスターデータに基づいて、前記識別コードを発行する識別コード発行部をさらに備える、
請求項１〜９のいずれか１項に記載の工程管理システム。
【請求項１１】
前記記憶部は、前記建物を表す２次元又は３次元の画像の画像データをさらに記憶し、
前記表示部は、前記建物を表す２次元又は３次元の画像の画像データに基づく前記２次元又は３次元の画像と、前記複数の工程をそれぞれ表す複数の項目とを切り替えて表示可能であり、前記２次元又は３次元の画像が表示されている場合に、前記読取部により取得された前記位置に関する情報に基づいて、前記工事箇所に対応する前記２次元又は３次元の画像上の位置に、工事箇所を示すマークを表示する、
請求項３に記載の工程管理システム。
【請求項１２】
前記第２の端末装置は、
前記報告書を表示可能な第２の表示部と、
外部からなされる操作を受け付ける第２の操作入力部と、
をさらに有し、
前記第２の記憶部は、前記建物を表す２次元又は３次元の画像の画像データをさらに記憶し、
前記第２の表示部は、前記第２の操作入力部により、前記第２の表示部に表示された前記報告書に含まれる工事箇所の画像のいずれかを選択する操作がなされた場合、前記第２の記憶部に記憶された画像データに基づいて前記２次元又は３次元の画像を表示すると共に、前記第２の操作入力部により選択された画像の工事箇所に対応する前記２次元又は３次元の画像上に位置に、工事箇所を示すマークを表示する、
請求項４に記載の工程管理システム。
【請求項１３】
前記第２の端末装置は、
前記報告書を表示可能な表示部と、
外部からなされる操作を受け付ける操作入力部と、
をさらに有し、
前記記憶部は、前記建物を表す２次元又は３次元の画像の画像データをさらに記憶し、
前記表示部は、前記操作入力部により、前記表示部に表示された前記報告書に含まれる工事箇所の画像のいずれかを選択する操作がなされた場合、前記記憶部に記憶された画像データに基づいて前記２次元又は３次元の画像を表示すると共に、前記操作入力部により選択された画像の工事箇所に対応する前記２次元又は３次元の画像上に位置に、工事箇所を示すマークを表示する、
請求項７に記載の工程管理システム。
【請求項１４】
建物の各工事箇所における工程を管理する工程管理方法であって、
前記工事箇所に配置された識別コードであって、少なくとも、前記建物における工事箇所の位置に関する情報と、当該工事箇所に適用される工事に関する情報とを表す識別コードを撮影することにより、前記識別コードが写った画像の画像データを生成するステップ（ａ）と、
ステップ（ａ）において生成された画像データに基づき、識別コードが写った画像から前記識別コードを読み取ることにより、前記位置に関する情報及び前記工事に関する情報を取得するステップ（ｂ）と、
前記工事箇所を撮影することにより、当該工事箇所が写った画像の画像データを生成するステップ（ｃ）と、
ステップ（ｂ）において取得された前記位置に関する情報及び前記工事に関する情報に基づき、ステップ（ｃ）において生成された画像データを、工事箇所ごとに分類可能な状態、且つ、前記工事箇所に適用される工事における複数の工程のうちの特定の工程を表す情報と関連付けられた状態で記憶するステップ（ｄ）と、
を含む工程管理方法。
【請求項１５】
建物の各工事箇所における工程を管理する工程管理システムにおいて、被写体を撮影し、該被写体が写った画像の画像データを生成する撮影ユニットを有する携帯可能な端末装置に実行させるプログラムであって、
少なくとも、前記建物における工事箇所の位置に関する情報と、当該工事箇所に適用される工事に関する情報とを表す識別コードであって、前記工事箇所に配置される識別コードを撮影することにより、該識別コードが写った画像の画像データを生成するステップ（ａ）と、
ステップ（ａ）において生成された画像データに基づき、前記識別コードが写った画像から前記識別コードを読み取ることにより、前記位置に関する情報及び前記工事に関する情報を取得するステップ（ｂ）と、
前記工事箇所を撮影することにより、当該工事箇所が写った画像の画像データを生成するステップ（ｃ）と、
ステップ（ｂ）において取得された前記位置に関する情報及び前記工事に関する情報に基づき、ステップ（ｃ）において生成された画像データを、工事箇所ごとに分類可能な状態、且つ、前記工事箇所に適用される工事における複数の工程のうちの特定の工程を表す情報と関連付けられた状態で記憶するステップ（ｄ）と、
を実行させるプログラム。
【請求項１６】
建物の各工事箇所における工程を管理する工程管理システムにおいて、コンピュータに実行させるプログラムであって、
前記工程管理システムは、被写体を撮影し、該被写体が写った画像の画像データを生成する撮影ユニットと、前記コンピュータとの間でデータの送受信を行う通信インタフェースと、を有する携帯端末を備え、
少なくとも、前記建物における工事箇所の位置に関する情報と、当該工事箇所に適用される工事に関する情報とを表す識別コードであって、前記工事箇所に配置される識別コードを撮影することにより生成された該識別コードが写った画像の画像データを、前記携帯端末から受信するステップ（ａ）と、
ステップ（ａ）において受信された画像データに基づき、前記識別コードが写った画像から前記識別コードを読み取ることにより、前記位置に関する情報及び前記工事に関する情報を取得するステップ（ｂ）と、
前記工事箇所を撮影することにより生成された当該工事箇所が写った画像の画像データを、前記携帯端末から受信するステップ（ｃ）と、
ステップ（ｂ）において取得された前記位置に関する情報及び前記工事に関する情報に基づき、ステップ（ｃ）において受信された画像データを、工事箇所ごとに分類可能な状態、且つ、前記工事箇所に適用される工事における複数の工程のうちの特定の工程を表す情報と関連付けられた状態で記憶するステップ（ｄ）と、
を実行させるプログラム。
【発明の詳細な説明】
【技術分野】
【０００１】
本発明は、建物の補修・修繕工事等の工程を管理する工程管理システム、工程管理方法、及びプログラムに関する。
【背景技術】
【０００２】
マンションやオフィスビルなどの建物は、定期的にその状態が検査され、検査結果に応じて補修や修繕の工事が行われる。このような工事においては、補修や修繕が必要な箇所（以下、工事箇所という）ごとに、工事内容に応じた工程の進捗管理が行われる。また、工事が完了すると、各工事箇所の工事の経過を写した画像を添付した報告書が作成される。
【０００３】
工事の工程管理に関する技術として、例えば特許文献１には、区画を識別するための情報（例えば、２０５号室という情報）と工事の進捗状況に関する情報（例えば、２５％のクロス貼り作業が完了したという情報）を担持可能、且つ搬出可能な情報担持媒体を所定の箇所（例えば、各住戸のドアの前）に仮置きし、この情報担持媒体を所定の場所（例えば、工事管理事務所）に設置された情報読取部に掲げて情報を読みとらせることにより、工事の進捗状況を管理する工事管理システムが開示されている。
【先行技術文献】
【特許文献】
【０００４】
【特許文献１】特開２０１３−１２０４０８号公報
【発明の概要】
【発明が解決しようとする課題】
【０００５】
マンションなどの建物の大規模修繕工事では、工事箇所は数百にも及ぶ。また、工事内容も工事箇所によって異なっており、通常は、それらの工事が複数の工事箇所において並行して進行する。そのため、各工事箇所における工程の進捗管理が非常に煩雑である。例えば、工事箇所を写した画像を取得する際に、工事箇所の位置がわかっていたとしても、その箇所の何（壁や床といった部位）が補修対象なのかを把握していないと撮影すら行うことができない。そのため、撮影作業を行うにも工事内容や現場の状況を正確に把握している必要があり、担当者の負担が大きい。
【０００６】
また、各工事箇所における工事の各工程を写した画像が取得されたとしても、これらの画像を工事箇所ごとに分類し、時系列順（工程順）に整理して報告書を作成する作業においても、膨大な手間と時間がかかる。特に、画像を見ただけでは、どの工事箇所のどの工程を写した画像であるのかを判別することは困難であることが多いので、報告書の作成作業に係る作業者の負担も大きい。
【０００７】
上記特許文献１においては、情報担持媒体にＱＲコード（登録商標）を担持させ、情報担持媒体を工事管理事務所に設置された掲げてＱＲコード（登録商標）を情報読取部に読み取らせることにより工事の進捗情報を管理することとしている。しかしながら、工事箇所が多い場合には、情報担持媒体が仮置きされている場所から工事管理事務所まで搬出することは非常に面倒である。また、建物の区画（例えば○○号室）ごとではなく、工事箇所ごとに進捗を管理しなければならない場合には、情報担持媒体を仮置きする箇所の取違いが生じないとも限らず、情報担持媒体の自体の管理も煩雑になる。
【０００８】
また、特許文献１においては、工事の報告書に使用する画像を撮影したり、それらの画像を管理したりすることについては、一切考慮されていない。
【０００９】
本発明は上記に鑑みてなされたものであって、各工事箇所における工事の進捗状況を容易に把握することができると共に、各工事箇所を写した画像が整理されて配置された報告書を簡単に作成することができる工程管理システム、工程管理方法、及びプログラムを提供することを目的とする。
【課題を解決するための手段】
【００１０】
上記課題を解決するために、本発明の一態様である工程管理システムは、建物の各工事箇所における工程を管理する工程管理システムであって、被写体を撮影し、該被写体が写った画像の画像データを生成する撮影ユニットと、画像データを記憶可能な記憶部と、前記撮影ユニットにより生成された画像データに基づき、所定の被写体が写った画像の画像データを前記記憶部に記憶させる画像登録部と、を備え、前記撮影ユニットは、前記工事箇所に配置された識別コードであって、少なくとも、前記建物における工事箇所の位置に関する情報と、当該工事箇所に適用される工事に関する情報とを表す識別コードを撮影することにより、前記識別コードが写った画像の画像データを生成すると共に、前記工事箇所を撮影することにより、当該工事箇所が写った画像の画像データを生成し、前記画像登録部は、前記識別コードが写った画像に基づいて取得される前記位置に関する情報及び前記工事に関する情報に基づき、前記工事箇所が写った画像の画像データを、工事箇所ごとに分類可能な状態、且つ、前記工事箇所に適用される工事における複数の工程のうちの特定の工程を表す情報と関連付けられた状態で前記記憶部に記憶させるものである。
【００１１】
上記工程管理システムにおいて、前記撮影ユニット及び前記記憶部は、携帯可能な端末装置に設けられ、前記端末装置はさらに、前記撮影ユニットにより生成された画像データに基づき前記識別コードが写った画像から前記識別コードを読み取ることにより、前記位置に関する情報及び前記工事に関する情報を取得する読取部を有し、前記画像登録部は、前記読取部により取得された前記位置に関する情報及び前記工事関する情報に基づいて、前記工事箇所が写った画像の画像データを前記記憶部に記憶させても良い。
【００１２】
上記工程管理システムにおいて、前記端末装置は、前記複数の工程をそれぞれ表す複数の項目を表示させる表示部と、外部からなされる操作を受け付ける操作入力部と、をさらに有し、前記画像登録部は、前記操作入力部により、前記表示部に表示された前記複数の項目のうちのいずれかを選択する操作がなされた場合に、前記工事箇所が写った画像の画像データを、選択された項目に対応する工程を表す情報に関連付けても良い。
【００１３】
上記工程管理システムは、前記携帯可能な端末装置とは異なる第２の端末装置であって、前記記憶部に記憶された前記工事箇所が写った画像の画像データを前記携帯可能な端末装置から受信する通信インタフェースと、前記携帯可能な端末装置から受信した前記工事箇所が写った画像の画像データを、工事箇所ごとに分類可能な状態、且つ、前記工事箇所に適用される工事における複数の工程のうちの特定の工程を表す情報と関連付けられた状態で記憶する第２の記憶部と、前記第２の記憶部に記憶された前記工事箇所が写った画像の画像データに基づいて、同一の工事箇所に関する複数の画像が工程順に配置された報告書を作成する報告書作成部と、を有する第２の端末装置をさらに備えても良い。
【００１４】
上記工程管理システムにおいて、前記撮影ユニットは、データ送信機能を有する携帯可能な第１の端末装置に設けられ、前記記憶部及び前記画像登録部は、前記第１の端末装置とは異なる第２の端末装置に設けられ、前記第２の端末装置は、さらに、前記第１の端末装置から送信された画像データを受信する通信インタフェースと、前記第１の端末装置から前記識別コードが写った画像の画像データを受信した場合に、該受信した画像データに基づき前記識別コードが写った画像から前記識別コードを読み取ることにより、前記位置に関する情報及び前記工事に関する情報を取得する読取部と、を有し、前記画像登録部は、前記第１の端末装置から、前記識別コードが写った画像の画像データに続いて、前記工事箇所が写った画像の画像データを受信した場合に、前記読取部により取得された前記位置に関する情報及び前記工事関する情報に基づいて、前記工事箇所が写った画像の画像データを前記記憶部に記憶させても良い。
【００１５】
上記工程管理システムにおいて、前記画像登録部は、同一の工事箇所が写った複数の画像の画像データに対し、当該工事箇所に適用される工事における複数の工程を、前記複数の画像の画像データが生成された順に従って、工程順にそれぞれ関連付けても良い。
【００１６】
上記工程管理システムにおいて、前記第２の端末装置は、前記記憶部に記憶された前記工事箇所が写った画像の画像データに基づいて、同一の工事箇所に関する複数の画像が工程順に配置された報告書を作成する報告書作成部をさらに備えても良い。
【００１７】
上記工程管理システムにおいて、前記画像登録部は、前記記憶部において、同一の工事箇所に関する画像データを１つのフォルダに格納させても良い。
【００１８】
上記工程管理システムにおいて、前記画像登録部は、前記工事箇所が写った画像の画像データに、前記位置に関する情報をさらに関連付けても良い。
【００１９】
上記工程管理システムは、工事の種類を表す情報と、各種類の工事において採用され得る工事の方法を表す情報と、工事の各方法における複数の工程をそれぞれ表す複数の情報とを階層的に格納するマスターデータに基づいて、前記識別コードを発行する識別コード発行部をさらに備えても良い。
【００２０】
上記工程管理システムにおいて、前記記憶部は、前記建物を表す２次元又は３次元の画像の画像データをさらに記憶し、前記表示部は、前記建物を表す２次元又は３次元の画像の画像データに基づく前記２次元又は３次元の画像と、前記複数の工程をそれぞれ表す複数の項目とを切り替えて表示可能であり、前記２次元又は３次元の画像が表示されている場合に、前記読取部により取得された前記位置に関する情報に基づいて、前記工事箇所に対応する前記２次元又は３次元の画像上の位置に、工事箇所を示すマークを表示しても良い。
【００２１】
上記工程管理システムにおいて、前記第２の端末装置は、前記報告書を表示可能な第２の表示部と、外部からなされる操作を受け付ける第２の操作入力部と、をさらに有し、前記第２の記憶部は、前記建物を表す２次元又は３次元の画像の画像データをさらに記憶し、前記第２の表示部は、前記第２の操作入力部により、前記第２の表示部に表示された前記報告書に含まれる工事箇所の画像のいずれかを選択する操作がなされた場合、前記第２の記憶部に記憶された画像データに基づいて前記２次元又は３次元の画像を表示すると共に、前記第２の操作入力部により選択された画像の工事箇所に対応する前記２次元又は３次元の画像上に位置に、工事箇所を示すマークを表示しても良い。
【００２２】
上記工程管理システムにおいて、前記第２の端末装置は、前記報告書を表示可能な表示部と、外部からなされる操作を受け付ける操作入力部と、をさらに有し、前記記憶部は、前記建物を表す２次元又は３次元の画像の画像データをさらに記憶し、前記表示部は、前記操作入力部により、前記表示部に表示された前記報告書に含まれる工事箇所の画像のいずれかを選択する操作がなされた場合、前記記憶部に記憶された画像データに基づいて前記２次元又は３次元の画像を表示すると共に、前記操作入力部により選択された画像の工事箇所に対応する前記２次元又は３次元の画像上に位置に、工事箇所を示すマークを表示しても良い。
【００２３】
本発明の別の態様である工程管理方法は、建物の各工事箇所における工程を管理する工程管理方法であって、前記工事箇所に配置された識別コードであって、少なくとも、前記建物における工事箇所の位置に関する情報と、当該工事箇所に適用される工事に関する情報とを表す識別コードを撮影することにより、前記識別コードが写った画像の画像データを生成するステップ（ａ）と、ステップ（ａ）において生成された画像データに基づき、識別コードが写った画像から前記識別コードを読み取ることにより、前記位置に関する情報及び前記工事に関する情報を取得するステップ（ｂ）と、前記工事箇所を撮影することにより、当該工事箇所が写った画像の画像データを生成するステップ（ｃ）と、ステップ（ｂ）において取得された前記位置に関する情報及び前記工事に関する情報に基づき、ステップ（ｃ）において生成された画像データを、工事箇所ごとに分類可能な状態、且つ、前記工事箇所に適用される工事における複数の工程のうちの特定の工程を表す情報と関連付けられた状態で記憶するステップ（ｄ）と、を含むものである。
【００２４】
本発明のさらに別の態様であるプログラムは、建物の各工事箇所における工程を管理する工程管理システムにおいて、被写体を撮影し、該被写体が写った画像の画像データを生成する撮影ユニットを有する携帯可能な端末装置に実行させるプログラムであって、少なくとも、前記建物における工事箇所の位置に関する情報と、当該工事箇所に適用される工事に関する情報とを表す識別コードであって、前記工事箇所に配置される識別コードを撮影することにより、該識別コードが写った画像の画像データを生成するステップ（ａ）と、ステップ（ａ）において生成された画像データに基づき、前記識別コードが写った画像から前記識別コードを読み取ることにより、前記位置に関する情報及び前記工事に関する情報を取得するステップ（ｂ）と、前記工事箇所を撮影することにより、当該工事箇所が写った画像の画像データを生成するステップ（ｃ）と、ステップ（ｂ）において取得された前記位置に関する情報及び前記工事に関する情報に基づき、ステップ（ｃ）において生成された画像データを、工事箇所ごとに分類可能な状態、且つ、前記工事箇所に適用される工事における複数の工程のうちの特定の工程を表す情報と関連付けられた状態で記憶するステップ（ｄ）と、を実行させるものである。
【００２５】
本発明のさらに別の態様であるプログラムは、建物の各工事箇所における工程を管理する工程管理システムにおいて、コンピュータに実行させるプログラムであって、前記工程管理システムは、被写体を撮影し、該被写体が写った画像の画像データを生成する撮影ユニットと、前記コンピュータとの間でデータの送受信を行う通信インタフェースと、を有する携帯端末を備え、少なくとも、前記建物における工事箇所の位置に関する情報と、当該工事箇所に適用される工事に関する情報とを表す識別コードであって、前記工事箇所に配置される識別コードを撮影することにより生成された該識別コードが写った画像の画像データを、前記携帯端末から受信するステップ（ａ）と、ステップ（ａ）において受信された画像データに基づき、前記識別コードが写った画像から前記識別コードを読み取ることにより、前記位置に関する情報及び前記工事に関する情報を取得するステップ（ｂ）と、前記工事箇所を撮影することにより生成された当該工事箇所が写った画像の画像データを、前記携帯端末から受信するステップ（ｃ）と、ステップ（ｂ）において取得された前記位置に関する情報及び前記工事に関する情報に基づき、ステップ（ｃ）において受信された画像データを、工事箇所ごとに分類可能な状態、且つ、前記工事箇所に適用される工事における複数の工程のうちの特定の工程を表す情報と関連付けられた状態で記憶するステップ（ｄ）と、を実行させるものである。
【発明の効果】
【００２６】
本発明によれば、ユーザは、工事箇所に配置された識別コードを撮影した上で、工事箇所を撮影することにより、工事箇所が写った画像の画像データを、工事箇所ごとに分類可能な状態、且つ、工事箇所に適用される工事における複数の工程のうちの特定の工程を表す情報と関連付けられた状態で記憶させることができる。従って、そのような画像データに基づく画像を工事箇所ごとに工程順に表示することにより、作業者は、各工事箇所における工事の進捗状況を容易に把握できるようになる。また、上記画像データを用いることにより、工事箇所を写した画像が工事箇所ごとに工程順に整理されて配置された報告書を簡単に作成することが可能となる。
【図面の簡単な説明】
【００２７】
【図１】本発明の第１の実施形態に係る工程管理システムの概略構成を示す模式図である。
【図２】図１に示すユーザ端末の概略構成を示すブロック図である。
【図３】マスターデータ（工程マスター）を例示する表である。
【図４】識別コードが表示された表示部材を例示する模式図である。
【図５】図１に示す携帯端末の概略構成を示すブロック図である。
【図６】本発明の第１の実施形態に係る工程管理方法を示すフローチャートである。
【図７】ユーザ端末に表示される識別コード発行画面を例示する模式図である。
【図８】図６の工事箇所の撮影ステップにおける携帯端末の動作を示すフローチャートである。
【図９】携帯端末に表示される項目選択画面を例示する模式図である。
【図１０】図６の報告書の作成ステップにおけるユーザ端末の動作を示すフローチャートである。
【図１１】ユーザ端末に表示される報告書の編集画面を例示する模式図である。
【図１２】ユーザ端末に表示される報告書画面を例示する模式図である。
【図１３】本発明の第２の実施形態におけるユーザ端末の概略構成を示すブロック図である。
【図１４】本発明の第２の実施形態における携帯端末の概略構成を示すブロック図である。
【図１５】本発明の第２の実施形態においてユーザ端末に表示される画面を例示する模式図である。
【図１６】本発明の第３の実施形態に係る工程管理システムの概略構成を示す模式図である。
【図１７】図１６に示すユーザ端末の概略構成を示すブロック図である。
【図１８】本発明の第３の実施形態の工事箇所の撮影ステップにおける携帯端末及びユーザ端末の動作を示すシーケンス図である。
【図１９】本発明の第４の実施形態に係る工程管理システムの概略構成を示す模式図である。
【図２０】図１９に示すサーバの概略構成を示すブロック図である。
【発明を実施するための形態】
【００２８】
以下、本発明の実施形態に係る工程管理システム、工程管理方法、及びプログラムについて、図面を参照しながら説明する。なお、これらの実施形態によって本発明が限定されるものではない。また、各図面の記載において、同一部分には同一の符号を付して示している。
【００２９】
（第１の実施形態）
図１は、本発明の第１の実施形態に係る工程管理システムの概略構成を示す模式図である。本実施形態に係る工程管理システム１０は、集合住宅、家屋（一軒家）、オフィスビル、工場、倉庫等の建物（建築物、建造物）の補修工事や修繕工事の各工事箇所における進捗を管理すると共に、当該工事の報告書を作成するシステムである。図１に示すように、工程管理システム１０は、ユーザが使用する端末装置であるユーザ端末２０と、工事箇所の撮影に用いられる携帯端末３０とを含む。携帯端末３０は、ケーブル又は有線又は無線の通信ネットワークを介してユーザ端末２０と随時接続され、ユーザ端末２０との間で情報の送受信を行う携帯可能な端末装置である。通信ネットワークとしては、例えばインターネット回線や電話回線、専用線、移動体通信網、ＬＡＮ、ＷｉＦｉ（Wireless  Fidelity）、ブルートゥース（登録商標）等の通信回線、又はこれらの組み合わせが用いられる。また、各工事箇所には、識別コード４０が表示された表示部材ｃ１、ｃ２、ｃ３、…が配置される。
【００３０】
図２は、ユーザ端末２０の概略構成を示すブロック図である。ユーザ端末２０は、例えば、パーソナルコンピュータ、ノートＰＣ、タブレット端末などの汎用の端末装置によって構成される。図２に示すように、ユーザ端末２０は、通信インタフェース２１と、表示部２２と、操作入力部２３と、出力部２４と、記憶部２５と、プロセッサ２６とを有する。
【００３１】
通信インタフェース２１は、ユーザ端末２０を通信ネットワークＮに接続し、通信ネットワークＮに接続された他の機器との間で情報の送受信を行う。通信インタフェース２１は、例えばケーブルモデム、無線モデム、ソフトモデム等を用いて構成される。
【００３２】
表示部２２は、液晶や有機ＥＬ（エレクトロルミネッセンス）等を用いて構成された表示パネル及び駆動部を含むディスプレイである。
【００３３】
操作入力部２３は、キーボード、操作ボタン、マウス、表示部２２上に設けられたタッチセンサなどの入力デバイスであり、外部からなされる操作を受け付け、該操作に応じた信号をプロセッサ２６に入力する。
【００３４】
出力部２４は、例えばプリンタであり、表示部材Ｃ（図１参照）や報告書などのハードコピーを作成する。
【００３５】
記憶部２５は、例えばＲＯＭ、ＲＡＭといった半導体メモリやハードディスク等のコンピュータ読取可能な記憶媒体である。記憶部２５は、オペレーティングシステムプログラム及びドライバプログラムに加えて、各種機能を実行するアプリケーションプログラムや、これらのプログラムの実行中に使用される各種パラメータ等を記憶する。詳細には、記憶部２５は、各種プログラムを記憶するプログラム記憶部２５１と、マスターデータ記憶部２５２と、画像データ記憶部２５３とを含む。
【００３６】
プログラム記憶部２５１に記憶されているアプリケーションプログラムとしては、識別コード４０を発行するための識別コード発行プログラムや、携帯端末３０から受信した画像データを用いて、工事に関する報告書を作成する報告書作成プログラムが挙げられる。
【００３７】
マスターデータ記憶部２５２は、工事の工程管理に使用されるマスターデータ（工程マスター）を記憶する。工程マスターは、工事の種類（以下、工種ともいう）や、各種の工事において採用され得る方法（以下、工法ともいう）や、各工法における複数の工程を表す項目のテキスト情報を格納したものである。工程マスターはユーザごとにカスタマイズすることも可能である。
【００３８】
図３は、工程マスターの内容を例示する模式図である。図３に示すように、本実施形態における工程マスターＤ１には、工種を表す項目と、各工種において採用され得る工法を表す項目と、各工法における複数の工程をそれぞれ表す項目とが階層的に格納されている。
【００３９】
１階層目である工種の項目には、例えば、「足場仮説工事」、「塗膜剥離工事」、「鉄部塗装工事」、「長尺シート工事」、「洗浄工事」、「左官工事」、「外壁塗装工事」、「下地補修工事」、「タイル貼替工事」、「シーリング工事」等が含まれる。
【００４０】
２階層目である工法の項目には、例えば、「鉄部塗装工事」の工法としての「鉄部塗装」「樹脂塗装」及び「シルバー塗装」、「長尺シート工事」の工法としての「既存シート撤去」及び「長尺シート貼り工事」、「洗浄工事」の工法としての「洗浄」「天井面洗浄」及び「タイル面洗浄」等が含まれる。
【００４１】
３階層目である工程の項目には、各工法における複数の工程が時系列順に格納されている。具体的には、「樹脂塗装」の工程としての「施工前」「塗膜剥離作業中」「塗膜剥離作業後」「下塗り作業中」「下塗り作業後」「上塗り作業中」及び「施工後」、「洗浄」の工程としての「洗浄前」「洗浄作業中」及び「施工後」等の情報が含まれる。
【００４２】
工程マスターＤ１に格納される項目は、工種や工法や工程の一般名称であっても良いし、ユーザが独自の名称を使用している場合には、その独自の名称であっても良い。なお、「塗膜剥離工事」のように、１つの工種に対して１つの工法しか採用されない場合には、工法の欄を空欄にしておいても良いし、工法の欄に工種と同じ項目を格納しても良い。また、工程マスターＤ１に、工種、工法、及び工程に加えて、これらの項目の略語を格納しても良い。
【００４３】
画像データ記憶部２５３は、携帯端末３０から受信した工事箇所の画像データを記憶する。
【００４４】
プロセッサ２６は、例えばＣＰＵ（Central  Processing  Unit）を用いて構成され、プログラム記憶部２５１に記憶された各種プログラムを読み込むことにより、ユーザ端末２０の各部を統括的に制御すると共に、報告書を作成するための各種処理を実行する。詳細には、プロセッサ２６により実現される機能部には、表示部２２における表示動作を制御する表示制御部２６１と、識別コード発行部２６２と、報告書作成部２６３とが含まれる。
【００４５】
識別コード発行部２６２は、少なくとも、工事対象の建物における工事箇所の位置を表す情報（以下、位置情報ともいう）と、当該工事箇所に適用される工事に関する情報と、を表す識別コードを発行し、出力部２４に出力させることにより、表示部材ｃ１、ｃ２、ｃ３、…（図１参照）を作成する。本実施形態において、工事に関する情報は、工種を表す情報（項目のテキスト情報）と、工法を表す情報（同上）と、該方法における複数の工程を表す情報（同上）とを含む。また、本実施形態において、位置情報は、建物における工事箇所の名称（例えば、○○棟○○階階段、○○棟東面、等）や工事箇所の部位（例えば、手摺壁、床面、等）を含む。
【００４６】
識別コード発行部２６２が発行する識別コードの種類は、後述する携帯端末３０が読み取ることができれば特に限定されず、ＱＲコード（登録商標）等の２次元コード、１次元コード（バーコード）、数字やアルファベットの配列等の各種のコードを用いることができる。また、表示部材の基材としては、紙、ラベルシール、プラスチックシート等、識別コードを印刷可能な部材であれば特に限定されない。
【００４７】
図４は、識別コードが表示された表示部材を例示する模式図である。図４に示す表示部材Ｃ１〜Ｃ８は、１枚の紙に連なった状態で印刷されている。各表示部材Ｃ１〜Ｃ８には、識別コード４０に加え、建物の名称（領域４１参照）と、工事箇所の位置（領域４２参照）と、工種（領域４３参照）と、工法（領域４４参照）と、工程（領域４５参照）とが表示されている。
【００４８】
これらの表示部材Ｃ１〜Ｃ８は、個別にカットされ、各表示部材に表示された工事箇所に、当該工事箇所における工事の開始から終了するまでの間配置される。表示部材Ｃ１〜Ｃ８において、識別コード４０以外の情報は必須ではないが、少なくとも表示部材Ｃ１〜Ｃ８を工事箇所に配置するまでは、作業者が工事箇所等を視認できるようにしておくと便利である。
【００４９】
報告書作成部２６３は、画像データ記憶部２５３に記憶された画像データを読み出し、工事箇所を写した画像が、工事箇所ごとに、工程の順序に従って配置された報告書を作成する。
【００５０】
なお、本実施形態においては、ユーザ端末２０において識別コードの発行と、報告書の作成とを行うが、識別コード発行用のユーザ端末と、報告書作成用のユーザ端末とを分けて設置しても良い。
【００５１】
図５は、携帯端末３０の概略構成を示すブロック図である。携帯端末３０は、例えば、スマートフォン、タブレット端末、ＰＤＡなど、通信機能及び撮影機能を有し、携帯可能な汎用の端末装置によって構成される。図５に示すように、携帯端末３０は、通信インタフェース３１と、表示部３２と、操作入力部３３と、センサ部３４と、撮影部３５と、音声入出力部３６と、記憶部３７と、プロセッサ３８とを有する。
【００５２】
通信インタフェース３１は、携帯端末３０を通信ネットワークＮに接続し、通信ネットワークＮに接続された他の機器との間で情報の送受信を行う。
【００５３】
表示部３２は、液晶又は有機ＥＬ（エレクトロルミネッセンス）を用いて構成された表示パネル及び駆動部を含むディスプレイである。
【００５４】
操作入力部３３は、操作ボタンや表示部３２上に設けられたタッチセンサなどの入力デバイスであり、外部からなされる操作を受け付け、該操作に応じた信号をプロセッサ３８に入力する。
【００５５】
センサ部３４は、例えばＧＰＳモジュールを含み、当該携帯端末３０の位置情報を取得する。
【００５６】
撮影部３５は、携帯端末３０に内蔵されたカメラであり、ＣＣＤ（Charge  Coupled  Device）イメージセンサやＣＭＯＳ（Complementary  MOS）イメージセンサ等の撮像素子、外部から入射する光を該撮像素子の受光面に合焦させる光学系、ＡＤコンバータ等の信号処理部などを含む。撮影部３５は、外部から入射する光信号を電気信号（画像信号）に変換し、さらに、この電気信号をデジタル信号に変換することにより画像データを生成する。
【００５７】
音声入出力部３６は、マイクロフォン及びスピーカ又はヘッドフォン（イヤフォン）を含み、外部から入力された音声を音声データに変換してプロセッサ３８に入力すると共に、プロセッサ３８の制御の下で、記憶部３７に格納された音声データを音声に変換して出力する。
【００５８】
記憶部３７は、例えばＲＯＭ、ＲＡＭといった半導体メモリ等のコンピュータ読取可能な記憶媒体であり、プログラム記憶部３７１と、画像データ記憶部３７２とを含む。プログラム記憶部３７１は、オペレーティングシステムプログラム、ドライバプログラム、各種機能を実行するアプリケーションプログラム、及び、プログラムの実行中に使用される各種パラメータ等を記憶する。
【００５９】
画像データ記憶部３７２は、撮影部３５により生成された画像データ（ＲＡＷデータ）、又は、該画像データに対して後述する画像処理部３８１が画像処理を施した表示用の画像データ（一例としてＪＰＥＧデータ）を記憶する。画像データ記憶部３７２は、後述する読取部３８２により取得される位置情報に基づいて工事箇所ごとにフォルダを作成し、同一の工事箇所に関する画像データを同一のフォルダに格納する。
【００６０】
プログラム記憶部３７１に記憶されているアプリケーションプログラムとしては、工事箇所に配置された表示部材ｃ１、ｃ２、ｃ３、…に表示されている識別コード４０を読み取ることにより、識別コード４０が表す工事箇所の位置情報及び工事に関する情報を取得し、取得した情報に基づいて、撮影部３５で工事箇所を撮影することにより生成された画像データ（ＲＡＷデータ又は表示用の画像データ）を、当該工事箇所における複数の工程のうちの特定の工程を表す情報と関連付けると共に、該画像データを工事箇所ごとに分類可能な状態で画像データ記憶部３７２に記憶させるアプリケーションプログラムが挙げられる。
【００６１】
プロセッサ３８は、例えばＣＰＵやＧＰＵを用いて構成され、プログラム記憶部３７１に記憶された各種プログラムを読み込むことにより、携帯端末３０の各部を統括的に制御すると共に、検査情報を生成するための各種処理を実行する。詳細には、プロセッサ３８により実現される機能部には、画像処理部３８１と、読取部３８２と、表示制御部３８３と、画像登録部３８４とが含まれる。
【００６２】
画像処理部３８１は、撮影部３５により生成された画像データに対してデモザイキング、ホワイトバランス処理、ガンマ補正等の画像処理を施すことにより、表示用の画像データを生成する。画像処理部３８１により生成された画像データは、上述した表示部３２に出力されて画像の表示に用いられる。また、画像処理部３８１により生成された画像データは、操作入力部３３に対する所定の操作（例えば表示部３２に表示される撮影ボタンに対するタップ操作）に応じて、画像データ記憶部３７２に記憶される。本明細書においては、上記撮影部３５及び画像処理部３８１の機能の一部又は全部を実行する機能部のことを、撮影ユニットともいう。
【００６３】
読取部３８２は、撮影部３５で識別コード４０を撮影することにより生成された画像データに基づく画像から該識別コード４０を読み取ることにより、識別コード４０が表す工事箇所の位置情報及び工事に関する情報を取得する。詳細には、読取部３８２は、識別コード４０が写った画像から識別コード４０の部分を認識し、当該部分に対してデコード処理を行う。
表示制御部３８３は、表示部３２における表示動作を制御する。
【００６４】
画像登録部３８４は、撮影部３５で工事箇所を撮影することにより生成された画像データ（ＲＡＷデータ又は表示用の画像データ）を、読取部３８２により取得された情報に基づいて、画像データ記憶部３７２に記憶させる。
【００６５】
次に、本発明の第１の実施形態に係る工程管理方法を説明する。図６は、本実施形態に係る工程管理方法を示すフローチャートである。
【００６６】
まず、ステップＳ１０において、ユーザは、ユーザ端末２０に識別コードを発行させ、識別コードが表示された表示部材を工事箇所に配置する。
【００６７】
図７は、ユーザ端末２０に表示される識別コード発行画面を例示する模式図である。ユーザ端末２０において識別コードの発行プログラムを起動させると、表示部２２に、図７に例示する識別コード発行画面Ｍ１が表示される。識別コード発行画面Ｍ１は、工事対象の建物における工事箇所の一覧が表示される一覧表ｍ１と、識別コード発行ボタンｍ２とを含む。一覧表ｍ１には、工事箇所の位置及び部位を入力するための工事箇所入力欄ｍ３と、工種選択欄ｍ４と、工法選択欄ｍ５とが設けられている。ユーザ端末２０は、工種選択欄ｍ４に対する所定の操作（例えば、マウスを用いたクリック操作）を検知すると、工程マスターＤ１を参照して、工種の一覧をプルダウン方式で画面に表示させる。また、ユーザ端末２０は、工法選択欄ｍ５に対する所定の操作（同上）を検知すると、工程マスターＤ１を参照して、工種選択欄ｍ４において選択されている工種に対応する工法の一覧をプルダウン方式で画面に表示させる。さらに、ユーザ端末２０は、識別コード発行ボタンｍ２に対する所定の操作を検知すると、工事箇所ごとに、工事箇所の位置及び部位、工種、及び工法を含む情報をコード化した識別コードを発行して、表示部材に出力（プリントアウト）する。この際、ユーザ端末２０は、併せて、工事箇所の位置及び部位、工種、工法、及び、工法に対応する複数の工程を表すテキスト情報を出力しても良い。
【００６８】
表示部材は、各工事箇所における工事の一連の工程が完了するまで当該工事箇所に配置しておくため、仮設足場等のように工事の作業に支障のない箇所に、剥がれたりしないように固定する。また、識別コード４０が擦れて読取不能にならないよう、表示部材の表面を透明の粘着テープで覆ったり、透明プラスチックのカバーをかけたりして保護しても良い。
【００６９】
続くステップＳ１１において、ユーザは、携帯端末３０を用いて工事箇所の撮影を行う。図８は、工事箇所の撮影ステップにおける携帯端末３０の動作を示すフローチャートである。
【００７０】
ステップＳ１１１において、携帯端末３０は、操作入力部３３に対する所定の操作（例えば、表示部３２に表示される読取ボタンへのタップ操作）に応じて識別コードを読み取ることにより、工事箇所の位置情報及び工事に関する情報を取得する。本実施形態において、携帯端末３０は、工事に関する情報として、識別コードから工種を表す情報（項目のテキスト情報）と、工法を表す情報（同上）と、該方法における複数の工程を表す情報（同上）とを取得する。
【００７１】
続くステップＳ１１２において、携帯端末３０は、ステップＳ１１１において取得した工事に関する情報に基づいて、複数の工程をそれぞれ表す複数の項目を表示部３２に表示する。
【００７２】
図９は、携帯端末３０の表示部３２に表示される項目選択画面を例示する模式図である。図９に示す表示部３２には、一例として、下地補修工事の一方法（クラック補修）における複数の工程「施工前」「ケレン」「清掃」「フィラー刷り込み」「施工後」を表す項目ｍ１１〜ｍ１５が表示されている。
【００７３】
この際、携帯端末３０は、読取部３８２により取得された位置情報に基づいて画像データ記憶部３７２を検索し、当該工事箇所に関する画像データを格納するフォルダを抽出する。そして、そして該フォルダが抽出された場合、フォルダ内に格納されている画像データ（即ち、当該工事箇所に関する画像データ）に基づく画像を、表示部３２に表示された項目と紐付けて表示する。例えば図９においては、「施工前」の項目の上方に、工事の施工前の状態が写った画像ｍ２１が表示され、「ケレン」の項目の上方に、ケレン工程完了後の状態が写った画像ｍ２２が表示されている。ユーザは、このような画面を参照することにより、当該工事箇所においてどの工程まで作業が完了し、画像が取得されたのかを確認することができる。
【００７４】
各項目ｍ１１〜ｍ１５は、タップ操作による選択が可能なアイコンとなっている。ユーザは、画面を確認し、当該工事箇所の現在の進捗を表す項目を選択する。例えば図９の場合、「ケレン」までの画像が取得されているため、その次の工程「清掃」を示す項目ｍ１３を選択する。具体的には、項目ｍ１３に対するタップ操作を行う。
【００７５】
携帯端末３０は、複数の項目のいずれかを選択するタップ操作を検知すると（ステップＳ１１３：Ｙｅｓ）、続いて、撮影を指示する入力操作が行われたか否かを判断する（ステップＳ１１４）。なお、携帯端末３０は、複数の項目を表示している間、いずれかの項目が選択されるまで、撮影を指示する入力操作を受け付けないこととしても良い。
【００７６】
携帯端末３０は、撮影を指示する入力操作（例えば、表示部３２に表示される撮影ボタンに対するタップ操作）を検知すると（ステップＳ１１４：Ｙｅｓ）、画像データを生成し、ステップＳ１１３において選択された項目に対応する工程を表す情報と関連付け、工事箇所ごとに記憶する（ステップＳ１１５）。詳細には、携帯端末３０は、工程を表す情報を付帯情報として画像データに付帯させ、ステップＳ１１２において抽出されたフォルダに画像データを格納する。また、ステップＳ１１２において当該工事箇所に関するフォルダが抽出されなかった場合には、携帯端末３０は、当該工事箇所に関するフォルダを新規に作成し、このフォルダに画像データを格納する。併せて、携帯端末３０は、生成した画像データに基づく画像を、選択された項目と紐付けて表示部３２に表示する。例えば図９の場合、工程「清掃」を示す項目ｍ１３の上方に、新たな画像が追加して表示されることになる。なお、１つの工程に対し、複数の画像データを関連付けることも可能である。また、ステップＳ１１５において、生成された画像データに対し、工事箇所の位置情報、工種を表す情報、及び工法を表す情報をさらに関連付けても良い。
【００７７】
このような撮影を各工事箇所において繰り返すことにより、画像データ記憶部３７２に、画像データを工事箇所ごとに格納するフォルダが作成され、各フォルダに、同一の工事箇所に関する画像データが工程順に格納される。それにより、工事箇所の撮影ステップは終了する。
【００７８】
再び図６を参照すると、ステップＳ１１に続くステップＳ１２において、ユーザは、ユーザ端末２０を用いて報告書を作成する。図１０は、図６の報告書の作成ステップにおけるユーザ端末２０の動作を示すフローチャートである。
【００７９】
まず、ステップＳ１２１において、ユーザ端末２０は携帯端末３０から、画像データ記憶部３７２に記憶された画像データを受信する。画像データの転送は、データ転送用のケーブルを介して行っても良いし、携帯端末３０の無線通信機能を利用して、通信ネットワークＮを介して行っても良い。或いは、可搬型の記憶媒体（例えば、ＳＤカード）を利用して携帯端末３０からユーザ端末２０に画像データを転送しても良い。ユーザ端末２０が携帯端末３０から受信した画像データは、画像データ記憶部２５３において、工事箇所ごとに作成されたフォルダに、工程順に格納される。
【００８０】
続くステップＳ１２２において、ユーザ端末２０は、画像データ記憶部２５３に記憶された画像データに基づく画像を所定の編集用フォーマットに貼り付ける。図１１は、表示部２２に表示される報告書の編集画面を例示する模式図である。詳細には、ユーザ端末２０は、図１１に示すような表計算ソフトウェア（スプレッドシート）を起動し、画像データに関する工事箇所の位置、工種、工法、及び工程を表すテキストと、画像データのファイル名及びファイルパスと、サムネイル画像とを、一覧表に貼り付ける。ユーザは、表示部２２に表示された編集用フォーマットに対し、不要な画像を削除するといった編集操作を行うことができる。なお、図１１においては、表計算ソフトウェアとしてマイクロソフトコーポレーションの製品「Ｍｉｃｒｏｓｏｆｔ  Ｅｘｃｅｌ」を使用した例を示しているが、使用可能な表計算ソフトウェアはこれに限定されない。
【００８１】
続くステップＳ１２３において、ユーザ端末２０は、図１１に例示する編集用フォーマットを、文書作成ソフトウェアにおいて予め設定された報告書のフォーマットに変換する。図１２は、ユーザ端末２０に表示される報告書画面を例示する模式図である。図１２に示す報告書においては、１ページに３つの画像を配置し、各画像の右側に工種、工法、工事箇所の位置及び部位、工程（内容）などが表示されるテキスト表示欄を設けている。このフォーマットは、予め複数種類用意しておき、一覧表から変換する際にフォーマットを選択できるようにしても良い。
【００８２】
続くステップＳ１２４において、ユーザ端末２０は、作成した報告書を保存すると共に、ハードコピーを出力する。それにより、報告書作成ステップは終了し、一連の工程管理方法は完了する（図６参照）。
【００８３】
以上説明したように、本発明の第１の実施形態によれば、工事箇所の位置情報及び工事に関する情報を含む識別コードが表示された表示部材を工事箇所に配置し、携帯端末３０でこの識別コードを読み取った上で工事箇所を撮影することにより、画像データを当該工事箇所における工程を表す情報と関連付け、工事箇所ごとに作成されたフォルダに分類して記憶するので、このような画像データを用いることにより、工事の経過が写った画像を、工事箇所ごと且つ工程順に配列して表示することができる。それにより、ユーザは、工事の進捗状況を容易に把握することが可能となる。特に、複数の工事箇所において異なる工事が並行して進捗している場合であっても、各工事箇所の状況を画像で確認することができる。
【００８４】
また、本発明の第１の実施形態によれば、工事箇所における工程を表す情報と関連付けられ、工事箇所ごとに作成されたフォルダに分類して記憶された画像データを用いることにより、工事の経過が写った画像が工事箇所ごと且つ工程順に配置された報告書を簡単に作成することが可能となる。従って、膨大な量の画像が蓄積されている場合であっても、画像の整理や編集に時間や労力をかける必要がなくなり、作業者の負担を大幅に軽減することが可能となる。
【００８５】
また、本発明の第１の実施形態によれば、予め工程マスターＤ１（図３参照）を整備しておくことにより、識別コードを容易に発行することができる。また、工事の工程を表示部材や携帯端末３０に表示することにより、標準化された工程で工事を行うことが可能となる。
【００８６】
次に、本発明の第１の実施形態の変形例について説明する。
上記第１の実施形態においては、表示部材に表示される識別コードに工事箇所の位置情報、工種を表す情報、工法を表す情報、及び工程を表す情報の全てを含めることとしたが、これらの一部の情報のみを識別コードに含めることとしても良い。この場合、携帯端末３０の記憶部３７に参照用のデータを予め格納しておき、識別コードから読み取った情報に基づいて、参照用のデータから必要な情報を抽出すれば良い。
【００８７】
例えば、参照用のデータとして、携帯端末３０の記憶部３７に、図３に示すものと同様の工程マスターを記憶させておく。他方、識別コードには、工事箇所の位置情報と、工種を表す情報と、工法を表す情報のみを含めておく。この場合、図８のステップＳ１１１において、読取部３８２は、識別コードから位置情報、工種を表す情報、及び工法を表す情報を取得し、このうちの工種及び工法を表す情報に基づいて参照用のデータを検索することにより、該工種及び工法に対応する複数の工程を抽出する。この場合、識別コードに含まれる情報量を抑制することができるという利点がある。
【００８８】
また、上記第１の実施形態においては、図８のステップＳ１１５において、携帯端末３０の表示部３２に表示された複数の項目のうち、ユーザにより選択された項目に対応する工程を表す情報を画像データと関連づけることとしたが、画像データを関連付ける情報を自動的に決定することとしても良い。具体的には、同一の工事箇所に関する複数の工程のうち、未だ画像データと関連づけられていない工程の中で最も先の工程（図９においては「清掃」）を、新たに生成された画像データと関連付ければ良い。
【００８９】
また、上記第１の実施形態においては、図８のステップＳ１１５において、生成された画像データを工事箇所ごとのフォルダに振り分けて格納したが、画像データに対して直接、位置情報、工種を表す情報、及び工法を表す情報を関連付けても良い。この場合、一連の撮影作業において生成された画像データを同一のフォルダに格納しても、画像を表示する際や報告書を作成する際に、画像データを工事箇所ごとに容易に分類することが可能となる。
【００９０】
また、上記第１の実施形態においては、携帯端末３０により識別コードを読み取ることとしたが、識別コードが数字やアルファベットなどで構成されている場合には、ユーザが当該識別コードを携帯端末３０に入力することとしても良い。具体的には、携帯端末３０に設けられた操作入力部３３（キーボードやタッチパネル等）を用いて、識別コードとして表示された数字やアルファベットを入力する。或いは、音声入出力部３６を介して数字やアルファベットを読み上げることにより識別コードを入力しても良い。これらの場合、携帯端末３０は、数字やアルファベットなどで構成された識別コードと、位置情報、工種を表す情報、及び工法を表す情報との対応関係を表す参照用のデータに用いて、識別コードに対応する位置情報及び工事に関する情報を取得することができる。
【００９１】
（第２の実施形態）
次に、本発明の第２の実施形態について説明する。本実施形態に係る工程管理システムの構成は全体として図１に示すものと同様であり、ユーザ端末２０及び携帯端末３０の詳細な構成が第１の実施形態と異なる。図１３は、本実施形態におけるユーザ端末の概略構成を示すブロック図である。図１４は、本実施形態における携帯端末の概略構成を示すブロック図である。図１５は、本実施形態においてユーザ端末に表示される画面を例示する模式図である。
【００９２】
図１３に示すように、ユーザ端末２０Ａは、図２に示すユーザ端末２０における記憶部２５及びプロセッサ２６の代わりに、記憶部２５Ａ及びプロセッサ２６Ａを有する。記憶部２５Ａは、図２に示す記憶部２５に対して物件画像データ記憶部２５４をさらに含んでいる。物件画像データ記憶部２５４は、工事対象の建物の２次元又は３次元画像の画像データを記憶する。
【００９３】
また、プロセッサ２６Ａは、機能部として、図２に示す識別コード発行部２６２の代わりに識別コード発行部２６４を含む。識別コード発行部２６４は、工事箇所の位置情報及び工事に関する情報に加え、当該工事箇所に対応する２次元又は３次元画像上の位置を表すコード情報を含む識別コードを発行する。物件画像データ記憶部２５４及び識別コード発行部２６４以外のユーザ端末２０Ａの各部の構成及び動作は、第１の実施形態と同様である（図２参照）。
【００９４】
図１４に示すように、携帯端末３０Ａは、図５に示す携帯端末における記憶部３７及びプロセッサ３８の代わりに、記憶部３７Ａ及びプロセッサ３８Ａを有する。記憶部３７Ａは、図５に示す記憶部３７に対し、物件画像データ記憶部３７３をさらに含む。物件画像データ記憶部３７３は、工事対象の建物の２次元又は３次元画像の画像データを記憶する。
【００９５】
また、プロセッサ３８Ａは、機能部として、図５に示す読取部３８２の代わりに読取部３８５を含む。読取部３８５は、工事箇所に配置された表示部材に表示された識別コードを読み取ることにより、工事箇所の位置情報及び工事に関する情報に加え、当該工事箇所に対応する２次元又は３次元画像上の位置を表すコード情報を取得する。
【００９６】
物件画像データ記憶部３７３及び読取部３８５以外の携帯端末３０Ａの各部の構成及び動作は、第１の実施形態と同様である（図５参照）。ただし、本実施形態においては、携帯端末３０Ａとして、表示部３２の面積が比較的大きいタブレット端末を用いることが好ましい。
【００９７】
物件画像データ記憶部２５４、３７３に記憶される画像データによって表される２次元画像としては、例えば、建物の平面図及び立面図の組み合わせなど、建物における検査箇所の３次元な位置（ｘ、ｙ、ｚ座標）を特定することができる複数の画像の組み合わせが挙げられる。また、３次元画像としては、３次元ＣＡＤなど、建物における検査箇所の３次元な位置（ｘ、ｙ、ｚ座標）を特定することができる画像であれば、どのような種類の画像であっても良い。以下、物件画像データ記憶部２５４、３７３に記憶される画像データによって表される２次元又は３次元の画像のことを物件画像という。物件画像上で特定の点の座標を指定することにより、当該建物における工事箇所及び部位を特定することができる。
【００９８】
本実施形態における工程管理方法は、全体として第１の実施形態と同様である。ただし、本実施形態では、図８のステップＳ１１１において、携帯端末３０が、工事対象の建物の２次元又は３次元画像を表示部３２に表示し、識別コードを読み取った際に、該識別コードに含まれるコード情報に基づき、当該工事箇所に対応する２次元又は３次元画像上の位置に所定のマークを表示するようにしても良い。それにより、ユーザは、工事箇所の位置を、直感的に確認することができる。
【００９９】
また、図８のステップＳ１１５においては、携帯端末３０が、識別コードから取得されたコード情報を工事箇所が写った画像の画像データに関連付けると共に、工事箇所が写った画像の画像データを格納したフォルダのファイルパスを工事箇所に対応する物件画像上の位置に埋め込む。これにより、工事箇所の画像データと、物件画像における工事箇所の位置とを相互にリンクさせることができる。
【０１００】
ユーザ端末２０においては、図１２に例示する報告書の表示画面と、図１５に例示する物件画像の表示画面とが相互に切り替えられるようにしても良い。詳細には、表示部２２に報告書が表示されている間に、工事箇所の画像ｍ３２に対して所定の操作（例えばタップ操作）が行われると、物件画像の表示画面に切り替えられるようにする。工事箇所に対応する建物画像上の位置には、工事箇所である旨を示すマークｍ４１、ｍ４２が配置されており、ユーザ端末２０は、報告書の表示画面において操作された画像ｍ３２に対応するマークを点滅して表示させたり、当該マークを拡大して表示させたりしても良い。
【０１０１】
反対に、表示部２２に物件画像が表示されている間に、工事箇所である旨を示すマークｍ４１、ｍ４２のうちの所望のマークに所定の操作（例えばタップ操作）が行われると、操作されたマークに対応する工事箇所の画像が配置された報告書のページが表示されるようにしても良い。
【０１０２】
また、携帯端末３０においては、図９に示す項目選択画面と物件画像の表示画面とが、相互に切り替えられるようにしても良い。一例として、図９に示す画面に対して所定の操作（例えばダブルタップ操作）が行われると、物件画像の表示画面に切り替えられ、工事箇所に対応する物件画像上の位置がフォーカスして示されるようにしても良い。反対に、物件画像上の所望の位置に所定の操作（例えばタップ操作）が行われると、操作された位置に対応する工事箇所の項目選択画面が表示されるようにしても良い。
【０１０３】
（第３の実施形態）
次に、本発明の第３の実施形態について説明する。図１６は、本発明の第３の実施形態に係る工程管理システムの概略構成を示す模式図である。図１６に示すように、本実施形態に係る工程管理システム１１は、ユーザ端末２０Ｂと、通信ネットワークＮを介して該ユーザ端末２０Ｂと接続された携帯端末３０とを備える。このうち、携帯端末３０の構成は、第１の実施形態と同様である（図５参照）。
【０１０４】
通信ネットワークＮとしては、例えばインターネット回線や電話回線、専用線、移動体通信網、ＬＡＮ、ＷｉＦｉ（Wireless  Fidelity）、ブルートゥース（登録商標）等の通信回線、又はこれらの組み合わせが用いられる。通信ネットワークＮは、有線、無線、又はこれらの組み合わせのいずれであっても良い。本実施形態においては、基本的に、ユーザ端末２０Ｂ及び携帯端末３０が通信ネットワークＮに常時接続される。
【０１０５】
図１７は、ユーザ端末２０Ｂの概略構成を示すブロック図である。図１７に示すように、ユーザ端末２０Ｂは、図２に示すユーザ端末２０におけるプロセッサ２６の代わりに、プロセッサ２６Ｂを有する。プロセッサ２６Ｂは、図２に示すプロセッサ２０に対し、機能部として読取部２６５及び画像登録部２６６をさらに有する。
【０１０６】
読取部２６５は、識別コード４０が写った画像から該識別コード４０を読み取ることにより、識別コード４０が表す工事箇所の位置情報及び工事に関する情報を取得する。詳細には、読取部２６５は、識別コード４０が写った画像から識別コード４０の部分を認識し、当該部分に対してデコード処理を行う。
【０１０７】
画像登録部２６６は、携帯端末３０から受信した工事箇所が写った画像の画像データを、読取部２６５により取得された情報に基づいて、画像データ記憶部２５３に記憶させる。読取部２６５及び画像登録部２６６以外のユーザ端末２０Ｂの各部の構成及び動作は、第１の実施形態と同様である。
【０１０８】
本実施形態に係る工程管理方法は、全体として第１の実施形態と同様であり（図６参照）、工事箇所の撮影ステップ（ステップＳ１１）及び報告書の作成ステップ（ステップＳ１２）におけるユーザ端末２０Ｂ及び携帯端末３０の動作が、第１の実施形態と異なる。
【０１０９】
図１８は、本実施形態での工事箇所の撮影ステップ（図６のステップＳ１１参照）における携帯端末３０及びユーザ端末２０Ｂの動作を示すシーケンス図である。本ステップにおいて、ユーザは、携帯端末３０を用いて工事箇所の撮影を行う。
【０１１０】
ステップＳ２１１において、携帯端末３０は、操作入力部３３に対する所定の操作（例えば、表示部３２に表示される撮影ボタンに対するタップ操作）に応じて、工事箇所に配置された識別コードを撮影する。
【０１１１】
続くステップＳ２１２において、携帯端末３０は、操作入力部３３に対する所定の操作（例えば、表示部３２に表示される送信ボタンに対するタップ操作）に応じて、識別コードが写った画像の画像データを、通信ネットワークＮを介してユーザ端末２０Ｂに送信する。画像データを送信する際には、汎用のアプリケーションによるメッセージ送信機能やメール送信機能を利用することができる。メッセージ送信機能の具体例として、ＬＩＮＥ株式会社が提供する「ＬＩＮＥ（登録商標）」や、フェイスブック・インコーポレイテッドが提供する「ＦＡＣＥＢＯＯＫ（登録商標）」のメッセンジャー等が挙げられる。
【０１１２】
ステップＳ２１３において、ユーザ端末２０Ｂは、携帯端末３０から受信した画像データに基づき、識別コードが写った画像を生成する。
【０１１３】
続くステップＳ２１４において、ユーザ端末２０Ｂは、生成した画像から識別コードを読み取ることにより、位置情報及び工事に関する情報を取得する。
【０１１４】
また、ステップＳ２１５において、携帯端末３０は、操作入力部３３に対する所定の操作（例えば、表示部３２に表示される撮影ボタンに対するタップ操作）に応じて、工事箇所を撮影する。
【０１１５】
続くステップＳ２１６において、携帯端末３０は、操作入力部３３に対する所定の操作（例えば、表示部３２に表示される送信ボタンに対するタップ操作）に応じて、工事箇所が写った画像の画像データを、通信ネットワークＮを介してユーザ端末２０Ｂに送信する。
【０１１６】
ステップＳ２１７において、ユーザ端末２０Ｂは、携帯端末３０から受信した工事箇所が写った画像の画像データを、ステップＳ２１５において取得した位置情報及び工事に関する情報に基づいて記憶する。詳細には、ユーザ端末２０Ｂは、位置情報に基づき、画像データ記憶部２５３に画像データを工事箇所ごとに格納するフォルダを作成し、受信した画像データを該当するフォルダに格納する。また、ユーザ端末２０Ｂは、工事に関する情報に基づき、当該工事箇所に適用される工種及び工法における複数の工程の各々を、フォルダ内に格納された画像データに、画像データが格納された順に従って、工程順に関連付ける。
【０１１７】
これらの一連のステップＳ２１１〜Ｓ２１７を繰り返すことにより、画像データ記憶部２５３に、工事箇所が写った画像の画像データが、工事箇所ごとに分類され、且つ工程順に整理された状態で蓄積される。
【０１１８】
次に、本実施形態における報告書作成ステップ（図６のステップＳ１２参照）について、図１９を参照しながら説明する。上述したように、本実施形態においては、工事箇所の撮影と並行して、ユーザ端末２０Ｂの画像データ記憶部２５３に、工事箇所ごとに画像データを格納するフォルダが作成され、画像データが工程順に蓄積される。従って、本実施形態の報告書作成ステップにおいては、図１０に示すステップＳ１２１は省略され、ステップＳ１２２〜Ｓ１２４が実行される。ステップＳ１２２〜Ｓ１２４における処理は、上記第１の実施形態と同様である。
【０１１９】
以上説明したように、本発明の第３の実施形態によれば、携帯端末３０において汎用のアプリケーションを利用することにより、工事箇所の撮影作業を進めることができる。つまり、携帯端末３０において専用のアプリケーションを実行する必要がなくなるので、携帯端末の機種やＯＳによらず、画像データの送信機能さえ有していれば、どのような携帯端末であっても工事箇所の撮影作業に使用することが可能となる。
【０１２０】
また、本発明の第３の実施形態によれば、携帯端末３０による工事箇所の撮影と並行して、ユーザ端末２０Ｂにおいて識別コードの読み取り及び工事箇所が写った画像の画像データの分類及び整理（工程との紐付け）が行われるので、報告書の作成処理を、より効率良く行うことが可能となる。
【０１２１】
次に、本発明の第３の実施形態の変形例について説明する。
上記第３の実施形態においては、識別コードが写った画像の画像データ及び工事箇所が写った画像の画像データを、撮影作業と並行して携帯端末３０からユーザ端末２０Ｂに順次送信することとしたが、これらの画像データを携帯端末３０に蓄積しておいても良い。この場合、携帯端末３０は、識別コードと工事箇所とを交互に撮影することにより生成された一群の画像の画像データを、工事箇所の撮影作業が終了した後で、ユーザ端末２０Ｂにまとめて転送する。ユーザ端末２０Ｂは、識別コードが写った画像の画像データ及び工事箇所が写った画像の画像データが生成された順序（時刻）に基づいて、識別コードから読み取った位置情報及び工事に関する情報と、工事箇所が写った画像の画像データとを関連付け、工事箇所が写った画像の画像データを分類及び整理して画像データ記憶部２５３に格納する。
【０１２２】
本変形例によれば、通信環境が良好でない工事現場においても、携帯端末３０を用いた撮影作業を遅滞なく進めることが可能となる。
【０１２３】
なお、上記第３の実施形態及び変形例においては、携帯端末３０により識別コードを撮影した後で、工事箇所を撮影することとしたが、撮影する順序は逆でも良い。この場合、ユーザ端末２０Ｂ側において、識別コードから取得された情報と工事箇所が写った画像の画像データとを紐付けるアルゴリズムを変更すれば良い。
【０１２４】
また、上記第３の実施形態及び変形例においては、携帯端末３０により識別コードと工事箇所とを交互に撮影することとしたが、識別コードを撮影した後で、工事箇所を複数回撮影することとしても良い。この場合、工事箇所が写った複数の画像の画像データを、それ以前の直近に撮影された識別コードから取得された情報と紐付けることにすれば良い。
【０１２５】
（第４の実施形態）
次に、本発明の第４の実施形態について説明する。図１９は、本発明の第４の実施形態に係る工程管理システムの概略構成を示す模式図である。図１９に示すように、本実施形態に係る工程管理システム１２は、図１に示す工程管理システム１０に対し、インターネット等の通信ネットワークＮを介してユーザ端末２０と接続されたサーバ５０をさらに備える。このうち、ユーザ端末２０及び携帯端末３０の構成は、第１の実施形態において説明したものと同様である（図２及び図５参照）。なお、携帯端末３０は、上記第１の実施形態と同様に、ユーザ端末２０と随時接続されて、ユーザ端末２０との間でデータの送受信を行うが、必要に応じて通信ネットワークＮに接続され、サーバ５０との間で通信を行うこととしても良い。
【０１２６】
図２０は、図１９に示すサーバ５０の概略構成を示すブロック図である。サーバ５０は、演算処理能力の高いホストコンピュータによって構成され、このホストコンピュータにおいて所定のプログラムを動作させることにより、サーバ機能を発現する。図２０に示すように、サーバ５０は、通信インタフェース５１と、サーバ５０において使用される各種情報を記憶する記憶部５２と、サーバ５０の動作を統括的に制御するプロセッサ５３とを有する。
【０１２７】
通信インタフェース５１は、サーバ５０を通信ネットワークＮに接続し、通信ネットワークＮに接続された他の機器との間で情報の送受信を行う。通信インタフェースは、例えば、ケーブルモデム、光モデム、ソフトモデム等によって構成される。
【０１２８】
記憶部５２は、例えばＲＯＭ、ＲＡＭといった半導体メモリやハードディスク等のコンピュータ読取可能な記憶媒体であり、プロセッサ５３に実行させるサーバ用プログラムの他、プロセッサ５３に各種機能を実行させるアプリケーションプログラムや、これらのプログラムの実行中に使用される各種パラメータ等を記憶する。詳細には、記憶部５２は、プログラム記憶部５２１と、マスターデータ記憶部５２２と、顧客情報データベース５２３とを含む。
【０１２９】
マスターデータ記憶部５２２は、工事の工程管理に使用されるマスターデータ（工程マスター、図３参照）を、当該工程管理システム１２を利用するユーザごとに記憶する。本実施形態において、ユーザは、工程マスタ等の必要な情報を、サーバ５０からユーザ端末２０に（場合によっては携帯端末３０にも）ダウンロードすることにより、又は、ユーザ端末２０及び携帯端末３０からサーバ５０に随時アクセスすることにより利用することができる。
【０１３０】
顧客情報データベース５２３は、当該工程管理システム１２のユーザに関する情報（以下、顧客情報ともいう）を格納する。顧客情報には、ユーザの氏名、ＩＤ、認証用のパスコード等の情報が含まれる。
【０１３１】
プロセッサ５３がプログラム記憶部５２１に記憶されたプログラムを読み込むことにより実現される機能部には、顧客情報管理部５３１と、認証部５３２と、マスターデータ管理部５３３とが含まれる。
【０１３２】
顧客情報管理部５３１は、顧客情報データベース５２３に格納されている顧客情報を管理する。認証部５３２は、顧客情報データベース５２３に基づき、通信ネットワークＮを介してアクセスしてきた機器（例えば、ユーザ端末２０や携帯端末３０）の認証を行う。マスターデータ管理部５３３は、認証に成功した機器（同上）から送信された情報に基づき、マスターデータ記憶部５２２に記憶されている工程マスターに対し、項目の追加、削除、修正などのメンテナンスを行う。
【０１３３】
このような工程管理システム１２においては、各ユーザの工程マスターをサーバ５０において一元管理するので、ユーザが複数のユーザ端末２０や携帯端末３０を使用している場合であっても、これらの機器間における情報の齟齬をなくし、効率良く工事の工程管理を行うことが可能となる。
【０１３４】
本発明の第４の実施形態の変形例として、サーバ５０の記憶部５２に、各ユーザの画像データを記憶する記憶領域を設け、携帯端末３０で工事箇所を撮影することにより生成された画像データを、携帯端末３０からサーバ５０に随時送信し、サーバ５０において保存することとしても良い。この場合、図８のステップＳ１１２において、携帯端末３０は、サーバ５０と通信を行い、同じ工事箇所に関する過去の画像データをサーバ５０から受信して表示部３２に画像を表示することができる。それにより、ユーザは、前回と異なる携帯端末３０で工事箇所を撮影する場合であっても、前回までに取得された画像を確認して、工事の進捗状況を把握することができるという利点がある。
【０１３５】
また、この場合、サーバ５０に蓄積された画像データを用いて、サーバ５０において報告書を作成することとしても良い。この場合、図２に示す報告書作成部２６３と同様の機能を、サーバ５０に設ければ良い。
【０１３６】
本発明の第４の実施形態の別の変形例として、サーバ５０に格納された工程マスターに基づき、サーバ５０において識別コードを発行することとしても良い。この場合、ユーザは、サーバ５０において発行された識別コードをダウンロードし、手持ちの端末装置を用いて識別コードをプリントアウトするだけで良い。
【０１３７】
第４の実施形態のさらに別の変形例として、サーバ５０に格納された工程マスターを、携帯端末３０が参照用のデータ（第１の実施形態の変形例参照）として使用しても良い。この場合、携帯端末３０の記憶容量を節約することができる。
【０１３８】
本発明は、上記第１〜第４の実施形態及び変形例に限定されるものではなく、上記第１〜第４の実施形態及び変形例に開示されている複数の構成要素を適宜組み合わせることによって、種々の発明を形成することができる。例えば、上記第１〜第４の実施形態及び変形例に示した全構成要素からいくつかの構成要素を除外して形成しても良いし、上記第１〜第４の実施形態及び変形例に示した構成要素を適宜組み合わせて形成しても良い。
【０１３９】
（付記１）
建物の各工事箇所に配置される工事の工程管理用表示部材を作成する工程管理用表示部材作成システムであって、
工事の種類を表す情報と、各種類の工事において採用され得る工事の方法を表す情報と、工事の各方法における複数の工程をそれぞれ表す複数の情報とを階層的に格納するマスターデータを記憶する記憶部と、
前記マスターデータに基づいて、少なくとも、前記建物における特定の工事箇所の位置に関する情報と、前記特定の工事箇所に適用される工事に関する情報とを含み、撮影機能を有する携帯端末によって読み取り可能な識別コードを発行する識別コード発行部と、
前記識別コードを基材にプリントする出力部と、
を備える工程管理用表示部材作成システム。
【０１４０】
（付記２）
前記出力部はさらに、前記建物における特定の工事箇所の位置に関する情報を表すテキスト情報と、前記特定の工事箇所に適用される工事に関する情報を表すテキスト情報とをプリントする、付記１に記載の工程管理用表示部材作成システム。
【符号の説明】
【０１４１】
１０、１１、１２  工程管理システム
２０、２０Ａ、２０Ｂ  ユーザ端末
２１、３１、５１  通信インタフェース
２２、３２  表示部
２３、３３  操作入力部
２４  出力部
２５、２５Ａ、３７、３７Ａ、５２  記憶部
２６、２６Ａ、２６Ｂ、３８、３８Ａ、５３  プロセッサ
３０、３０Ａ  携帯端末
３４  センサ部
３５  撮影部
３６  音声入出力部
４０  識別コード
４１〜４５  領域
５０  サーバ
２５１、３７１、５２１  プログラム記憶部
２５２、５２２  マスターデータ記憶部
２５３、３７２  画像データ記憶部
２５４、３７３  物件画像データ記憶部
２６１、３８３  表示制御部
２６２、２６４  識別コード発行部
２６３  報告書作成部
２６５、３８２、３８５  読取部
２６６、３８４  画像登録部
３８１  画像処理部
５２３  顧客情報データベース
５３１  顧客情報管理部
５３２  認証部
５３３  マスターデータ管理部
【図１】
2020030519.tif 000003
【図２】
2020030519.tif 000004
【図３】
2020030519.tif 000005
【図４】
2020030519.tif 000006
【図５】
2020030519.tif 000007
【図６】
2020030519.tif 000008
【図７】
2020030519.tif 000009
【図８】
2020030519.tif 000010
【図９】
2020030519.tif 000011
【図１０】
2020030519.tif 000012
【図１１】
2020030519.tif 000013
【図１２】
2020030519.tif 000014
【図１３】
2020030519.tif 000015
【図１４】
2020030519.tif 000016
【図１５】
2020030519.tif 000017
【図１６】
2020030519.tif 000018
【図１７】
2020030519.tif 000019
【図１８】
2020030519.tif 000020
【図１９】
2020030519.tif 000021
【図２０】
2020030519.tif 000022